(57)【要約】【課題】  本発明は、光ピックアップ用光集積装置の小型化にともない、パッケージ上部で反射した迷光成分やパッケージの窓部側面で反射した干渉光となる迷光成分を低減する光ピックアップ用の光集積装置を提供するものである。【解決手段】  本発明の光集積装置１は、発光部４と前記発光部４からの出射光Ｌを反射し、戻り光を透過するミラー面７を有するプリズム５と、プリズム５の下部に戻り光を受光する受光部６とを備えた光集積装置１であって、発光部４、プリズム５及び受光部６を囲み、出射光及び戻り光を通過する窓部１０が設けられたパッケージ９が配され、窓部１０の内周にテーパー部１１が設けられることを特徴とする。【選択図】        図１
2005228449.tif 000002
【特許請求の範囲】
【請求項１】
発光部と前記発光部からの出射光を反射し、戻り光を透過するミラー面を有するプリズムと、前記プリズムの下部に前記戻り光を受光する受光部とを備えた光集積装置であって、
前記発光部、前記プリズム及び前記受光部を囲み、前記出射光及び戻り光を通過する窓部が設けられたパッケージが配され、
前記窓部の内周にテーパー部が設けられる
ことを特徴とする光集積装置。
【請求項２】
前記テーパー部の先端が、前記出射光のうち迷光となる成分を除去できるような薄さに形成される
ことを特徴とする請求項１記載の光集積装置。
【請求項３】
前記テーパー部は、該テーパー部の内面と前記パッケージの上部内面とのなす角が１８０度より小さい鈍角となるように形成される
ことを特徴とする請求項１記載の光集積装置。
【発明の詳細な説明】
【技術分野】
【０００１】
本発明は、光ディスク、光次期ディスク等のメディアディスクの記録再生に用いられる光ピックアップ用光集積装置に関する。
【背景技術】
【０００２】
光ディスクや光磁気ディスクの記録再生に用いる光ピックアップ用の光集積装置２１として、レーザカプラが用いられている。この光集積装置２１は、図３に示すように、シリコン半導体基板２２上にサブマウント基板２３を介して発光部であるレーザ素子２４が配置され、このレーザ素子２４に対向して半導体基板２２上に接着層（図示せず）を介してプリズム２５が配置され、さらにプリズム２５直下の半導体基板２２の表面に信号検出用の光検出素子となるフォトダイオード素子からなる受光部２６が形成されてなる。プリズム２５は、レーザ素子２４から出射したレーザ光を反射し、光学記録媒体である例えば光ディスク（図示せず）で反射した戻り光を透過する例えば４５°をなすミラー面２７を有する。サブマウント基板２３は、シリコン半導体基板で形成されている。
【０００３】
この光集積装置２１では、レーザ素子２４から出射されたレーザ光Ｌがプリズムのミラー面２７で反射して垂直方向に立ち上がり、図示せざるもグレーティング、１／４波長板及び対物レンズを介して光ディスクに照射される。光ディスクで反射した戻り光は、同じ光路を経てプリズム２５のミラー面２７よりプリズム２５内に透過して受光部２６にて検出される。
【０００４】
従来、光集積装置２１では、レーザカプラを覆うようにパッケージ化されており、このパッケージ２９には、プリズム２５のミラー面２７から立ち上がったレーザ光を透過させる窓部３０が形成されている。
光集積装置としては、レーザ光がパッケージの内側面で反射した迷光成分を吸収するために、パッケージ内面を粗面にした構造が提案されている（特許文献１参照）。
【特許文献１】特開２０００−７７７８５号公報
【発明の開示】
【発明が解決しようとする課題】
【０００５】
上述のような光ピックアップ用光集積装置２１は、より小型化の要求のため、半導体基板２８からパッケージ２９の窓部（いわゆる開口）３０までの高さｈも低くなり、これに伴って迷光制御が難しくなってきている。すなわち、図２Ａに示すように、レーザ素子２４より出射したレーザ光Ｌが、プリズム２５の反射面２７から立ち上がり窓部３０を透過するが一部のレーザ光Ｌがパッケージ２９のフラットな上部内壁２９ａで反射した反射光Ｌ１が迷光成分となるこの迷光成分Ｌ１は、出射光Ｌと内面高さｈと受光部２６の位置との条件に応じて、直接受光部２６に入射して誤信号となる。また、プリズム２５から垂直に立ち上がった反射光のうち、パッケージ２９上部の窓部３０の側面３１に当たり反射された光は、主レーザビームに対して干渉光Ｌ２となる。この干渉光Ｌ２が、ディスク面に当たることでデフォーカスとなってしまい、さらに、ディスクからの戻り光をプリズム２５内の受光部２６で受光したとき誤信号となってしまう。
【０００６】
本発明は、上述の点に鑑み、光ピックアップ用光集積装置の小型化にともない、パッケージ上部で反射した迷光成分やパッケージの窓部側面で反射した干渉光となる迷光成分を低減する光ピックアップ用の光集積装置を提供するものである。
【課題を解決するための手段】
【０００７】
本発明の光集積装置は、発光部と前記発光部からの出射光を反射し、戻り光を透過するミラー面を有するプリズムと、プリズムの下部に戻り光を受光する受光部とを備えた光集積装置であって、発光部、プリズム及び受光部を囲み、出射光及び戻り光を通過する窓部が設けられたパッケージが配され、窓部の内周にテーパー部が設けられることを特徴とする。
【０００８】
本発明の光集積装置の好ましい形態としては、テーパー部の先端が、前記出射光のうち迷光となる成分を除去できるような薄さに形成されることを特徴とする。また、テーパー部は、このテーパー部の内面と前記パッケージの上部内面とのなす角が１８０度より小さい鈍角となるように形成されることが好ましい。
【０００９】
本発明の光集積装置では、窓部の内周に設けるテーパーによって、パッケージ内のプリズムのミラー面から立ち上がる出射光の窓部側面での反射光が低減され、主レーザに干渉を与える干渉光が低減される。さらに、テーパー部をテーパー部内面とパッケージ上部内面とのなす角を１８０度より小さい鈍角とすることにより、上記出射光の窓部近傍のパッケージ上部内面で反射した反射光による迷光成分は、受光部に入射させない方向にあるパッケージ内壁に照射させることができる。
【発明の効果】
【００１０】
本発明の光集積装置によれば、窓部内側面で反射する迷光成分による干渉光が低減し、また、パッケージの窓部近傍の上部内面で反射した迷光成分が受光部側に入射されないので、読み取り書き取り時の誤信号の原因を取り除いて、良好な出射光を取り出すことができ、特性の良い光集積装置を提供することができる。
【発明を実施するための最良の形態】
【００１１】
以下、図面を参照して本発明の実施の形態を説明する。
図１は、本実施の形態に係る光集積装置の一実施の形態を示す構成図である。
本実施の形態に係る光集積装置１は、シリコン半導体基板２上にサブマウント基板３を介してレーザ素子４が配置され、このレーザ素子４に対向して半導体基板２上に接着層（図示せず）を介してプリズム５が配置され、さらにプリズム５直下の半導体基板２の表面に信号検出用の光検出素子となる受光部６が形成される。受光素子６は、フォトダイオード素子で形成され、この場合、半導体基板２上に複数のフォトダイオード素子によりフォトダイオードＩＣが形成される。プリズム５と半導体基板２は、接着層によって接続される。プリズム５は、レーザ素子４から出射したレーザ光Ｌを反射して、光学記録媒体である例えば光ディスクに照射し、また、反射した戻り光を透過する例えば４５°をなすミラー面７を有する。サブマウント基板３は、シリコン半導体基板２で形成される。さらに、半導体基板２には、受光部６のフォトダイオードＩＣで検出した信号を処理する信号処理ＩＣが形成されている。
サブマウント基板３、発光部であるレーザ素子４及びプリズム５を配置した半導体基板２は、セラミックの基体８上に配置され、さらに、開口した窓部１０を有する樹脂パッケージ９でパッケージングされる。
【００１２】
そして、本実施の形態においては、特に、パッケージ９に設けられた窓部１０の内縁をテーパー状に形成する。すなわち窓部１０の内周にテーパー部１１を設ける。このテーパー部１１は、ミラー面７からの垂直に立ち上がった光のうち、迷光となる光を除去できるように端部が薄く、本例では、半導体基板２に向って内側に迫り出して鋭角θに形成される。すなわち、従来、窓部の側面で発生していた干渉光は、テーパー部１１によって発生させない構造となっている。さらに、テーパー部１１は、テーパーの内面１１ａで反射する反射光（いわゆる迷光成分）Ｌ１が受光部６に入射しない方向にあるパッケージ内壁９ａに反射させるようにテーパー部１１の内面１１ａとパッケージ９のフラットな上部内面となす角αを１８０度より小さい鈍角になるように形成される。
【００１３】
この光集積装置１では、レーザ素子４からの出射したレーザ光がプリズムのミラー面７で反射して垂直方向に立ち上がり、図示せざるもグレーティング、１／４波長板及び対物レンズを介して光ディスクに照射され、光ディスクの信号記録面で反射され同じ光路を経た戻り光がプリズムミラー面７からプリズム内に入りフォトダイオード素子よりなるフォトダイオードＩＣによって検出されてＲＦ信号、すなわちディスク信号面からの戻り光が検出される。同時に、トラッキング、フォーカスのサーボ信号が検出される。このようにして再生されたアナログ信号の読み出しが行われる。なお、ＤＶＤ用の場合には、パッケージ９上にいグレーティンング、ホログラム等を配置して構成される。
【００１４】
次に、図２Ｂを用いて、本実施の形態に係る光集積装置の迷光成分、干渉光が低減する作用を説明する。
レーザ素子４からのレーザ光（破線）をプリズム５のミラー面７で垂直に立ち上げて窓部１０を通過させた場合、側面の厚みを極力薄くし、本例では窓部１０の内周に先端が尖ったテーパー１１を有していることにより、従来の窓部内周側面に当たって干渉光となっていた迷光成分が低減し、実質的に発生しない。また、テーパー部１１の内面１１ａとパッケージ９の上部内面９ａとのなす角を１８０度より小さい鈍角にすることにより、テーパー部１０の内面１１ａに照射され反射された反射光Ｌ１（実線）は、受光部６に入射されない方向のパッケージ内壁に照射されて吸収される。すなわち、この反射光による迷光成分Ｌ１は受光部６に入射されない。このように、従来、点線で示す窓部に側面を有していたとき（図２Ａ参照）と比べて、本実施の形態では、テーパー部１１を薄くして半導体基板２方向に迫り出すようにすることで、受光部６に向う迷光成分Ｌ１を発生せず、また、窓部側面に当たって干渉光となっていた迷光成分を発生させないようにすることができる。
【００１５】
テーパー部の角度αは、テーパー部１１の内面１１ａで反射される反射光Ｌ１が受光部６に向わない方向へ照射させるように調整することができる。
テーパー部１１によって反射される反射光Ｌ１は、パッケージ内壁を粗すことで、反射光Ｌ１を吸収、もしくは細かく発散させられる。
【００１６】
基体８は、セラミックで形成して、さらに、パッケージ９は、樹脂で形成することができるので、高さ方向の精度を向上でき、テーパー部１１による迷光成分を、より精度よく低減することができる。
【００１７】
本実施の形態に係る光集積装置によれば、鋭角なテーパーを設けることで主レーザ光に、従来、窓部の側面の厚みで反射された干渉光となる迷光成分を低減することができ、さらに、窓部周辺のパッケージ上部内壁で反射されていた反射光による迷光成分も、受光部６へ入射するのを阻止することができる。よって、光記録メディアへの書き込み及び読み取りの場合の誤信号を低減することができる。
【図面の簡単な説明】
【００１８】
【図１】本発明に係る光集積装置の一実施の形態に係る構成図である。
【図２】Ａ  従来の光集積装置の要部を示す断面図である。            Ｂ  本発明に係る光集積装置の一実施の形態の要部を示す断面図である。
【図３】従来の光集積装置を示す構成図である。
【符号の説明】
【００１９】
１・・光集積装置、２・・半導体基板、３・・サブマウント基板、４・・レーザ素子、５・・プリズム、６・・受光部、７・・ミラー面、８・・基体、９・・パッケージ、９ａ・・パッケージ内壁、１０・・窓部、１１・・テーパー部、１１ａ・・テーパー内面、２１・・光集積装置、２２・・半導体基板、２３・・サブマウント基板、２４・・レーザ素子、２５・・プリズム、２６・・受光部、２７・・ミラー面、２８・・半導体基板、２９・・パッケージ、２９ａ・・上部内壁、３０・・窓部
【図１】
2005228449.tif 000003
【図２】
2005228449.tif 000004
【図３】
2005228449.tif 000005